(57)【要約】【課題】  障害のある検査対象土壌の障害原因を特別の分析や装置を用いることなく、現場において正確に発見でき、その対策を具体的に示すことができる障害土壌検出改良方法を提供する。【解決手段】  障害のある検査対象土壌２とこれに対処手段を混在させた実験用土壌を入れたボトル１ａ，１Ａ等を準備し、これに同一の種子又は苗を植付ける。この両者の発芽，生育状態を観察し、差があれば、対処手段を基にしてその検査対象土壌２の障害がわかる。【選択図】  図２
2006262792.tif 000002
【特許請求の範囲】
【請求項１】
発芽状態の悪い障害土壌検出方法であって、該方法は、検出対象土壌に発芽障害の原因を検出するための対処手段を混合させた実験用土壌をあらかじめ作り、該実験用土壌と前記検出対象土壌とに同一の種子又は苗を植設し、両者の発芽状態の観察と前記対処手段の内容から前記検出対象土壌の障害の原因を検出することを特徴とする障害土壌検出改良方法。
【請求項２】
前記対処手段が、炭添加，殺菌，ろ過，多量要素添加，微量要素添加，消石灰添加であり、前記両土壌に発芽状態の差が観察された場合、前記検出対象土壌が前記対処手段に対応して、炭添加の場合は塩濃度障害，病原菌障害，重金属障害であり、殺菌の場合は病原菌障害であり、ろ過の場合は塩濃度障害，多肥障害であり、多量要素添加の場合は少肥障害であり、微量要素添加の場合は少肥障害であり、消石灰添加の場合は病原菌障害，ＰＨ障害であることを特徴とする請求項１に記載の障害土壌検出改良方法。
【発明の詳細な説明】
【技術分野】
【０００１】
本発明は、色々の原因で発芽の状態がよくない障害土壌の障害の原因を検出する検出方法に係り、特に、現場において比較的容易に、かつ短時間に行われる障害土壌検出改良方法に関する。
【背景技術】
【０００２】
土壌には色々の植物栄養素が混在しているが、その土壌が植付けられる種子又は苗に適合したものであるが不明のため、植種をした後にのみその土壌がその種子等に適合していないことがわかり、大きな障害を生じる問題点があった。この問題点の解決のため、従来でも「特許文献１」，「特許文献２」に示すような発芽試験が行われ、土壌の適合性の事前判断を行うものがあったが、従来の発芽試験は一般の人々が行うには難しく、かつ馴染の薄いものであり、かつ障害に対する適切な対応処置が不明確であった。また、発芽試験により各種のデータが出るものの、その土壌の改良方法が明確指示できず、当業者の経験に頼るしかなかった。
【０００３】
その結果、栄養過剰土壌なのに更に施肥をしたり、微量栄養が足りないのに多量栄養ばかりを施肥したり、粘土土壌なのに水を切りすぎり酸欠をおこしたり、塩濃度障害が進行しているのに更に化学肥料を施肥したり、未熟堆肥の施肥でガス害がでているのに更に未熟堆肥を投入したり、土がかたくなり保温性や通気性が悪くなるという物性の問題なのに更に液肥をかけたり、土中の残留根とかの腐敗でカビ等の菌が繁殖しているのに殺菌及び拮抗菌したり、アルカリ土であるにも拘らず土壌改良として消石灰を入れたり、重金属障害にもかかわらずそのまま栽培を続けたりする余分で害のある行動がとられていた。以上の行動をおこさせる原因としては、植物が育たないのは栄養不足であるという固定概念があること、窒素，リン酸，カリだけで植物が育つと思っていること、水をたくさんあげた方がよいと思っていること、ハウスは雨がかからず土を休ませない場合が多いことを知らないこと、堆肥の良し悪しがわからず、生に近いほうが効くと思っていること、液肥では土壌改良ができないことを理解していないこと、有機物は全て栄養になると思っていること、殺菌方法がわからないこと、土壌改良は消石灰混合と思っていること、工場跡地やごみ埋立地跡であったかの認識の薄いこと等の思い違いによるためである。
【特許文献１】特開２００２−２８１８０９（全文）
【特許文献２】特開平１０−３０４７１４（全文）
【発明の開示】
【発明が解決しようとする課題】
【０００４】
植物生育の障害とその障害があった場合の植物の発育状態としては次の点に主に絞られ、かつその対策としては［表１］に示すものが挙げられる。
【０００５】
【表１】
2006262792.tif 000003
【０００６】
「表１」に示した対策は有効のものであるが、原因発見に時間がかかりすぎて現場的でない。そこで、「表１」に示した対策を現場的に、かつ短期間に見出す検出方法が求められていた。
【０００７】
本発明は、以上の事情に鑑みて発明されたものであり、障害土壌の障害の検出と、その改良のため対応が容易に、かつ正確にできる障害土壌検出改良方法を提供することを目的とする。
【課題を解決するための手段】
【０００８】
前記「表１」に示した１から１０までの対策を現場で対応できる対処方法にする置換え処置を「表２」に示す。
【０００９】
【表２】
2006262792.tif 000004
【００１０】
本発明は、以上の現場での置換処置を参考にして作り出した検出改良方法である。即ち、本発明の請求項１は、発芽状態の悪い障害土壌検出方法であって、該方法は、検出対象土壌に発芽障害の原因を検出するための対処手段を混合させた実験用土壌をあらかじめ作り、該実験用土壌と前記検出対象土壌とに同一の種子又は苗を植設し、両者の発芽状態の観察と前記対処手段の内容から前記検出対象土壌の障害の原因を検出することを特徴とする。
【００１１】
また、本発明の請求項２は、前記対処手段が、炭添加，殺菌，ろ過，多量要素添加，微量要素添加，消石灰添加であり、前記両土壌に発芽状態の差が観察された場合、前記検出対象土壌が前記対処手段に対応して、炭添加の場合は塩濃度障害，病原菌障害，重金属障害であり、殺菌の場合は病原菌障害であり、ろ過の場合は塩濃度障害，多肥障害であり、多量要素添加の場合は少肥障害であり、微量要素添加の場合は少肥障害であり、消石灰添加の場合は病原菌障害，ＰＨ障害であることを特徴とする。
【発明の効果】
【００１２】
本発明の請求項１の障害土壌検出改良方法によれば、対処手段を混合した実験用土壌を作り、この実験用土壌と検出対象土壌とに同一の種や苗を植付けてその発芽や発育状態を観察することによって、その検出対象土壌の障害が正確にわかり障害への対処を行うことが容易にできる。
【００１３】
また、本発明の請求項２の障害土壌検出改良方法によれば、請求項２に記載する対処手段を用いた実験用土壌と検出対象土壌の発芽発育を比較することにより、障害原因が明確にわかり、対処が具体的に行われる。
【発明を実施するための最良の形態】
【００１４】
以下、本発明の障害土壌検出改良方法の実施の形態を図面及び表を参照して詳述する。「表２」に示した現場での置換処置は重複項目があるため、これを整理すると次の６項目となる。即ち、「対処手段」としては１．炭添加、２．殺菌、３．ろ過、４．多量要素添加、５．微量要素添加、６．消石灰添加となる。
【００１５】
まず、図１に示すように「対処手段」の６項目に対応して６個のボトル１ａ，１ｂ，１ｃ，１ｄ，１ｅ，１ｆを準備すると共に、これに対応して１Ａ，１Ｂ，１Ｃ，１Ｄ，１Ｅ，１Ｆなる同形のボトルを準備する。この１２個のボトルに検出対象土壌２を夫々同量だけ入れると共にボトル１ａには「炭添加」（  で示す）をし、ボトル１ｂには「殺菌」（  で示す）をし、ボトル１ｃには「ろ過」（  で示す）をし、ボトル１ｄには「多量要素添加」（  で示す）をし、ボトル１ｅには「微量要素添加」（  で示す）をし、ボトル１ｆには「消石灰添加」（  で示す）を夫々行う。
【００１６】
次に、ボルト１ａ〜１ｆ及びボトル１Ａ〜１Ｆに同一の種又は苗を植える。勿論、生長に必要の水を混在させることも必要である。なお、具体的のやり方としては、検出対象土壌を水に溶解し、その溶液をボトルに脱脂綿等を介して入れ、その上に種子や苗を播くことが望ましい。
【００１７】
以上が終了したら、夫々のボトルにおける発芽や生育の状態を観察する。図２はボトル１ａとこれに対応するボトル１Ａの発芽や生育の状態を示すものであり、ボトル１ａの種子がボトル１Ａの種子よりも発芽や生育がよかったとする。勿論、他のボトル１ｂ〜１ｆ及び１Ｂ〜１Ｆについても同様の比較をし、ボトル１ｂ〜１ｆの種子がすべてボトル１Ｂ〜１Ｆのものより発芽や生育がよいものになったとする。以上により「表３」の反応表が作成される。
【００１８】
【表３】
2006262792.tif 000005
【００１９】
「表３」は対処手段（  〜  ）の添加に実験用土壌（１ａ〜１ｆ）と検出対象土壌（１Ａ〜１Ｆ）発芽や生育に差がついた障害原因を示すものであり、〇印が障害原因を示す。即ち、  の「炭添加」の場合は、検査対象土壌１Ａが塩濃度障害と病原菌障害と重金属障害があることがわかる。また、  の「殺菌」の場合は、検査対象土壌１Ｂが病原菌障害があることがわかる。同様に、  の「ろ過」の場合は塩濃度障害と多肥障害があり、  の「多量要素添加」では少肥障害があり、  の「微量要素添加」では少肥障害があり、  の「消石灰添加」では病原菌障害があることがわかる。
【００２０】
以上のように、その検査対象土壌の障害原因がわかったならば、次のような対策がとられる。即ち、塩濃度障害や多肥障害の場合は、塩濃度障害物及び多肥物質を水でながし、濃度を薄くする処置をとる。また、病原菌障害は病原菌を熱処理して殺菌して土壌改善を計る。また、病原菌障害，塩濃度障，重金属障害の場合は、炭を吸着材及び緩衝材として行うことにより障害が緩和される。また、多量要素不足障害は、窒素，リン酸，カリを添加することで生育栄養分が補われる。また、微量要素不足障害の場合はミネラル分を添加することにより生育障害が補われる。また、ＰＨ障害は消石灰や硫量を添加しＰＨ調整する。以上の対応により、検査対象土壌に適切の処置が行われ、検査対象土壌の改質が行われる。
【００２１】
以上の障害土壌検出方法は現場的に行われ、土壌の改質処置が具体的に示されるため、素人でもその改質処置を簡単に行うことができ、従来技術のように当業者の経験や特別の分析やテストが必要でなくなる。以上により、この障害土壌検出方法は現場的の「シーズセンサ」として便利に適用されることになる。
【産業上の利用可能性】
【００２２】
本発明は、障害土壌の障害原因の発見としてその改質の対策を与えるものであるが、障害土壌についてはすべてのものに対応でき、その利用範囲は広い。
【図面の簡単な説明】
【００２３】
【図１】検査対象土壌対処手段を入れた実験用ボトルとそれに対応する検査対象土壌を入れたボトルを示す断面図。
【図２】実験用ボトルと検査対象土壌のボトルにおける発芽及び生育の差を示す模式図。
【符号の説明】
【００２４】
１ａ  ボトル
１ｂ  ホトル
１ｃ  ボトル
１ｄ  ボトル
１ｅ  ボトル
１ｆ  ボトル
１Ａ  ボトル
１Ｂ  ボトル
１Ｃ  ボトル
１Ｄ  ホトル
１Ｅ  ボトル
１Ｆ  ボトル
２    検査対象土壌
【図１】
2006262792.tif 000006
【図２】
2006262792.tif 000007